(57)【要約】      （修正有）【課題】モバイル端末及びモバイル端末上で迅速に撮影を開始するための方法を提供する。【解決手段】カメラと、制御モジュールと、モバイル端末１００のハウジング上に配置されるボタン１０３ａ、１０３ｂとを備える。制御モジュールは、モバイル端末がロック画面でスタンバイしているとき、ボタンに関する検出を実行し、ユーザのボタンに対して押下操作が第１のプリセット条件を満たすことを検出するとき、撮影のためにカメラをオンにする。【選択図】図１
2018157567.tif 000002
【特許請求の範囲】
【請求項１】
モバイル端末であって、
カメラと、
表示画面と、
制御モジュールと、
前記モバイル端末のハウジング上に配置されるボタンと
を備え、
前記制御モジュールは、前記モバイル端末がロック画面でスタンバイしているとき、前記ボタンに関する検出を実行し、撮影の準備をすべく前記カメラをオンにし、ユーザの前記ボタンに対する押下操作が第１のプリセット条件を満たすことを検出するとき、前記カメラにより取り込まれるビューを表示すべく前記表示画面をオンにし、
前記制御モジュールは、前記カメラが準備をすべくオンにされた後であって前記ユーザの前記ボタンに対する前記押下操作が第２のプリセット条件を満たすことを検出するとき、撮影を実行すべく前記カメラを更に制御し、
前記制御モジュールは、前記モバイル端末がロック解除された後であって前記ユーザの前記ボタンに対する前記押下操作が第３のプリセット条件を満たすとき、前記ボタンに対応するデフォルト機能を実行すべく前記モバイル端末を更に制御し、
前記ボタンに対応する前記デフォルト機能が、前記モバイル端末によって鳴らされる音のボリューム値を調節することを備える、
モバイル端末。
【請求項２】
前記制御モジュールは、前記ユーザが前記ボタンを連続的に押下している期間がプリセット期間に達することを検出するとき、又は、前記ユーザが前記ボタンを連続的に押下している回数がプリセット回数に達することを検出するとき、前記ユーザの前記ボタンに対する前記押下操作が前記第１のプリセット条件を満たすことを決定する、
請求項１に記載のモバイル端末。
【請求項３】
前記制御モジュールは、前記カメラが準備をすべくオンにされた後、前記ユーザの前記ボタンに対する前記押下操作が前記第２のプリセット条件を満たさないことを検出するとき、前記カメラを更にオフにする、
請求項１又は２に記載のモバイル端末。
【請求項４】
前記ユーザの前記ボタンに対する前記押下操作が前記第１のプリセット条件を満たすことを検出するとき、前記制御モジュールは、作動して撮影を実行すべく、前記カメラを制御する、
請求項１又は２に記載のモバイル端末。
【請求項５】
前記ボリューム値を調節することは、前記モバイル端末によって鳴らされた前記音の前記ボリューム値を増加させることを備える、
請求項１から４のいずれか１項に記載のモバイル端末。
【請求項６】
前記ボタンは、第１ボタン及び第２ボタンを有し、
前記ユーザの前記第１ボタンに対する押下操作が前記第１のプリセット条件を満たすことを検出するとき、前記制御モジュールは、動画撮影のために前記カメラをオンにし、
前記ユーザの前記第２ボタンに対する押下操作が前記第１のプリセット条件を満たすことを検出するとき、前記制御モジュールは、写真撮影のために前記カメラをオンにする、
請求項１から５のいずれか１項に記載のモバイル端末。
【請求項７】
前記モバイル端末は、前記制御モジュールが写真撮影のために前記カメラをオンにするとき、前記ユーザが１枚の写真を撮影するか又は写真のプリセット枚数を連続的に撮影するかを選択するための設定オプションが設けられる、
請求項１から５のいずれか１項に記載のモバイル端末。
【請求項８】
前記モバイル端末は、前記制御モジュールが動画撮影のために前記カメラをオンにしてからの自動動画撮影期間を前記ユーザが設定するための設定オプションが設けられる、
請求項１から５のいずれか１項に記載のモバイル端末。
【請求項９】
前記モバイル端末は、ビューファインダがさらに設けられる、
請求項１から５のいずれか１項に記載のモバイル端末。
【請求項１０】
カメラと、表示画面と、制御モジュールと、モバイル端末のハウジング上に配置されるボタンとを備える前記モバイル端末上で撮影を開始するための方法であって、
前記方法は、
前記モバイル端末がロック画面でスタンバイしているとき、前記モバイル端末の前記ハウジング上のボタンに関する検出を実行する段階と、
ユーザの前記ボタンに対する押下操作が第１のプリセット条件を満たすことが検出されるとき、撮影の準備をすべくカメラをオンにし、前記カメラにより取り込まれるビューを表示すべく前記表示画面をオンにする段階と、
準備をすべく前記カメラがオンにされた後、前記ユーザの前記ボタンに対する前記押下操作が第２のプリセット条件を満たすことを前記制御モジュールが検出するとき、撮影を実行すべく前記制御モジュールによって前記カメラを制御する段階と、
前記モバイル端末がロック解除された後、前記ユーザの前記ボタンに対する前記押下操作が第３のプリセット条件を満たすとき、前記ボタンに対応するデフォルト機能を実行すべく、前記制御モジュールによって前記モバイル端末を制御する段階と、
を備え、
前記ボタンに対応する前記デフォルト機能が、前記モバイル端末によって鳴らされる音のボリューム値を調節することを備える、
方法。
【請求項１１】
前記方法は、前記ユーザが前記ボタンを連続的に押下している期間がプリセット期間に達することが検出されるとき、又は前記ユーザが前記ボタンを連続的に押下している回数がプリセット回数に達することが検出されるとき、前記ユーザの前記ボタンに対する前記押下操作が前記第１のプリセット条件を満たすことを決定する段階をさらに備える、
請求項１０に記載のモバイル端末上で撮影を開始するための方法。
【請求項１２】
前記カメラが準備をすべくオンにされた後、前記ユーザの前記ボタンに対する前記押下操作が第２のプリセット条件を満たさないことが検出されるとき、前記カメラをオフにする、
請求項１０又は１１に記載のモバイル端末上で撮影を開始するための方法。
【請求項１３】
前記撮影のためにカメラをオンにする段階は、作動して撮影を実行すべく、前記カメラを制御する段階を具体的に含む、
請求項１０又は１１に記載のモバイル端末上で撮影を開始するための方法。
【請求項１４】
前記ボリューム値を調節することは、前記モバイル端末によって鳴らされた前記音の前記ボリューム値を増加させることを備える、
請求項１０から１３のいずれか１項に記載のモバイル端末上で撮影を開始するための方法。
【請求項１５】
前記ボタンは、第１ボタン及び第２ボタンを有し、
前記ユーザの前記第１ボタンに対する押下操作が前記第１のプリセット条件を満たすことが検出されるとき、前記カメラは動画撮影のためにオンにされ、又は、前記ユーザの前記第２ボタンに対する押下操作が前記第１のプリセット条件を満たすことが検出されるとき、前記カメラは写真撮影のためにオンにされる、
請求項１０から１４のいずれか１項に記載のモバイル端末上で撮影を開始するための方法。
【請求項１６】
コンピュータに請求項１０から１５のいずれか1項に記載の方法を実行させるためのプログラム。
【発明の詳細な説明】
【技術分野】
【０００１】
本発明は、モバイル通信の分野に関し、特に、モバイル端末及びモバイル端末上で撮影を開始するための方法に関する。
【背景技術】
【０００２】
ますます高画素を有するカメラが携帯電話内に一体化され、日常生活において、人々は、ますます携帯電話を専用カメラの代わりに使用して写真を撮影する。
【０００３】
しかしながら、携帯電話は、ほとんどの場合においてロック画面の状態にある。新しい又は特別なシーン若しくはすばらしい瞬間を見たときに写真又は動画を撮影しようとすると、携帯電話ユーザは、以下のステップを完成する必要がある。１）電源ボタンを押下して画面を点灯し、２）画面のロックを解除し、３）カメラアプリケーションを開始し、４）写真又は動画撮影プログラムへとスイッチし、５）撮影範囲を見付け、６）撮影ボタンを押下する。
【０００４】
しかしながら、すばらしいビューは、瞬間的で、携帯電話ユーザが写真又は動画撮影プログラムにアクセスする時には、通常、消えている。
【発明の概要】
【課題を解決するための手段】
【０００５】
本発明の複数の実施形態は、モバイル端末及びモバイル端末上で撮影を開始するための方法を提供し、それらは、ユーザの写真撮影エクスペリエンスを向上することができる。
【０００６】
本発明の複数の実施形態の第１の態様は、カメラと、制御モジュールと、モバイル端末のハウジング上に配置されるボタンとを備えるモバイル端末を提供し、制御モジュールは、モバイル端末がロック画面でスタンバイしているとき、ボタンに関する検出を実行し、ユーザのボタンに対する押下操作が第１のプリセット条件を満たすことを検出するとき、撮影のためにカメラをオンにするよう構成される。
【０００７】
本発明の複数の実施形態の第１の態様に関して、本発明の複数の実施形態の第１の態様の第１の実施方式において、制御モジュールは、ユーザがボタンを連続的に押下している期間がプリセット期間に達することを検出するとき、又は、ユーザがボタンを連続的に押下している回数がプリセット回数に達することを検出するとき、ユーザのボタンに対する押下操作が第１のプリセット条件を満たすことを決定するよう具体的に構成される。
【０００８】
本発明の複数の実施形態の第１の態様に関して、本発明の複数の実施形態の第１の態様の第２の実施方式において、ユーザのボタンに対する押下操作が第１のプリセット条件を満たすことを検出するとき、制御モジュールは、カメラをオンにして撮影の準備をするよう、具体的に構成され、制御モジュールは、準備のためにカメラがオンにされた後、ユーザのボタンに対する押下操作が第２のプリセット条件を満たすことを検出するとき、撮影を実行するよう、カメラを制御する、又は、ユーザのボタンに対する押下操作が第２のプリセット条件を満たさないことを検出するとき、カメラをオフにするようさらに構成される。
【０００９】
本発明の複数の実施形態の第１の態様に関して、本発明の複数の実施形態の第１の態様の第３の実施方式において、ユーザのボタンに対する押下操作が第１のプリセット条件を満たすことを検出するとき、制御モジュールは、作動して撮影を実行するよう、カメラを制御するよう具体的に構成される。
【００１０】
本発明の複数の実施形態の第１の態様に関して、本発明の複数の実施形態の第１の態様の第４の実施方式は、モバイル端末がロック解除された後、ユーザのボタンに対する押下操作が第３のプリセット条件を満たすとき、制御モジュールは、ボタンに対応するデフォルト機能を実行するよう、モバイル端末を制御する。
【００１１】
本発明の複数の実施形態の第１の態様、又は第１の態様の第１の実施方式、第１の態様の第２の実施方式、第１の態様の第３の実施方式、若しくは第１の態様の第４の実施方式に関して、本発明の複数の実施形態の第１の態様の第５の実施方式において、ボタンは、第１ボタン及び第２ボタンを有し、ユーザの第１ボタンに対する押下操作が第１のプリセット条件を満たすことを検出するとき、制御モジュールは、動画撮影のためにカメラをオンにし、ユーザの第２ボタンに対する押下操作が第１のプリセット条件を満たすことを検出するとき、制御モジュールは、写真撮影のためにカメラをオンにする。
【００１２】
本発明の複数の実施形態の第１の態様、又は第１の態様の第１の実施方式、第１の態様の第２の実施方式、第１の態様の第３の実施方式、若しくは第１の態様の第４の実施方式に関して、本発明の複数の実施形態の第１の態様の第６の実施方式において、モバイル端末は、設定オプションが設けられ、制御モジュールが写真撮影のためにカメラをオンにしたときに、１枚の写真を撮影するか又は写真のプリセット枚数を連続的に撮影するかをユーザが選択するために構成される。
【００１３】
本発明の複数の実施形態の第１の態様、又は第１の態様の第１の実施方式、第１の態様の第２の実施方式、第１の態様の第３の実施方式、若しくは第１の態様の第４の実施方式に関して、本発明の複数の実施形態の第１の態様の第７の実施方式において、モバイル端末は、設定オプションが設けられ、制御モジュールが動画撮影のためにカメラをオンにしてからの自動動画撮影期間をユーザが設定するために構成される。
【００１４】
本発明の複数の実施形態の第１の態様、又は第１の態様の第１の実施方式、第１の態様の第２の実施方式、第１の態様の第３の実施方式、若しくは第１の態様の第４の実施方式に関して、本発明の複数の実施形態の第１の態様の第８の実施方式において、モバイル端末は、ビューファインダがさらに設けられる。
【００１５】
本発明の複数の実施形態の第２の態様は、モバイル端末がロック画面でスタンバイしているとき、モバイル端末のハウジング上のボタンに関する検出を実行する段階と、ユーザの当該ボタンに対する押下操作が第１のプリセット条件を満たすことが検出されるとき、撮影のためにカメラをオンにする段階とを備える、モバイル端末上で撮影を開始するための方法を提供する。
【００１６】
本発明の複数の実施形態の第２の態様に関して、本発明の複数の実施形態の第２の態様の第１の実施方式において、方法は、ユーザが当該ボタンを連続的に押下している期間がプリセット期間に達することが検出されるとき、又は、ユーザがボタンを連続的に押下している回数がプリセット回数に達することが検出されるとき、ユーザの当該ボタンに対する押下操作が第１のプリセット条件を満たすことを決定する段階をさらに備える。
【００１７】
本発明の複数の実施形態の第２の態様、又は第２の態様の第１の実施方式に関して、本発明の複数の実施形態の第２の態様の第２の実施方式において、撮影のためにカメラをオンにする段階は、撮影の準備をすべく、カメラをオンにする段階と、カメラが準備をすべくオンにされた後、ユーザの当該ボタンに対する押下操作が第２のプリセット条件を満たすことが検出されるとき、撮影を実行するよう、カメラを制御する、又は、ユーザの当該ボタンに対する押下操作が第２のプリセット条件を満たさないことが検出されるとき、カメラをオフにする段階とを具体的に含む。
【００１８】
本発明の複数の実施形態の第２の態様、又は第２の態様の第１の実施方式に関して、本発明の複数の実施形態の第２の態様の第３の実施方式において、撮影のためにカメラをオンにする段階は、作動して撮影を実行するよう、カメラを制御する段階を具体的に含む。
【００１９】
本発明の複数の実施形態の第２の態様、又は第２の態様の第１の実施方式に関して、本発明の複数の実施形態の第２の態様の第４の実施方式において、方法は、モバイル端末がロック解除された後、ユーザの当該ボタンに対する押下操作が第３のプリセット条件を満たすとき、当該ボタンに対応するデフォルト機能を実行するよう、モバイル端末を制御する段階をさらに備える。
【００２０】
本発明の複数の実施形態の第２の態様、又は第２の態様の第１の実施方式に関して、本発明の複数の実施形態の第２の態様の第５の実施方式において、ボタンは、第１ボタン及び第２ボタンを有し、ユーザの第１ボタンに対する押下操作が第１のプリセット条件を満たすことが検出されるとき、カメラは、動画撮影のためにオンにされ、又は、ユーザの第２ボタンに対する押下操作が第１のプリセット条件を満たすことが検出されるとき、カメラは、写真撮影のためにオンにされる。
【００２１】
先述の複数の技術的解決法から見られているように、本発明の複数の実施形態は、以下の複数の利点を有する。
【００２２】
本発明の複数の実施形態において、モバイル端末がロック画面でスタンバイしている場合、検出モジュールがユーザのボタンに対する押下操作が第１のプリセット条件を満たすことを検出するとき、モバイル端末のユーザはすばらしいビューを迅速に取り込むことができ、従って、ユーザの写真撮影エクスペリエンスが向上されるように、カメラは、撮影のためにオンにされる。
【図面の簡単な説明】
【００２３】
【図１】本発明の複数の実施形態におけるモバイル端末の実施形態の概略図である。
【図２】本発明の複数の実施形態におけるモバイル端末の実施形態の概略図である。
【図３】本発明の複数の実施形態におけるモバイル端末上で撮影を開始するための方法の実施形態の概略図である。
【図４】本発明の複数の実施形態におけるモバイル端末上で撮影を開始するための方法の別の実施形態の概略図である。
【図５】本発明の複数の実施形態におけるモバイル端末上で撮影を開始するための方法の別の実施形態の概略図である。
【図６】本発明の複数の実施形態におけるモバイル端末上で撮影を開始するための方法の別の実施形態の概略図である。
【図７】本発明の複数の実施形態におけるモバイル端末上で撮影を開始するための方法の別の実施形態の概略図である。
【発明を実施するための形態】
【００２４】
本発明の複数の実施形態は、モバイル端末のユーザがビューを迅速に取り込むことができ、従って、ユーザの写真撮影エクスペリエンスが向上されるように、モバイル端末及びモバイル端末上で撮影を開始するための方法を提供する。
【００２５】
当業者に本発明における複数の技術的解決法をよりよく理解させるために、以下は、本発明の複数の実施形態に添付の図面を参照して、本発明の複数の実施形態の複数の技術的解決法を明確にかつ完全に説明する。明らかに、説明される複数の実施形態は、本発明の複数の実施形態のいくつかに過ぎず、全てではない。当業者によって本発明の複数の実施形態に基づいて創造的努力なしで得られる全ての他の複数の実施形態は、本発明の保護範囲内に含まれるべきである。
【００２６】
図１及び図２を参照すると、本発明の複数の実施形態におけるモバイル端末の実施形態は、カメラ１０１と、制御モジュールと、モバイル端末１００のハウジング上に配置されるボタンとを備え、当該モバイル端末１００は、携帯電話、タブレットコンピュータ、又はカメラが設けられている別のモバイル端末であってもよく、当該制御モジュールは、プロセッサであってもよい。
【００２７】
もちろん、先述の説明は、例示的なものにすぎず、何らか限定するものではない。
【００２８】
制御モジュールは、モバイル端末１００がロック画面でスタンバイしているとき、ボタンに関する検出を実行し、ユーザのボタンに対する押下操作が第１のプリセット条件を満たすことを検出するとき、撮影のためにカメラ１０１をオンにするよう構成される。
【００２９】
当該ボタンは、モバイル端末１００のハウジング上の物理ボタン、又は仮想ボタンであり得る。ボタンに対する押下操作が第１のプリセット条件を満たすとき、制御モジュールは、写真撮影操作又は動画撮影操作のためにカメラ１０１をオンにする。
【００３０】
この実施形態において、モバイル端末は、ロック画面でスタンバイしている場合、検出モジュールがユーザのボタンに対する押下操作が第１のプリセット条件を満たすことを検出するとき、モバイル端末のユーザが撮影のためにカメラをオンにするように背景技術において言及された複数のステップを実行する必要がなく、すばらしいビューを迅速に取り込むことができ、これにより、ユーザの写真撮影エクスペリエンスが向上されるように、カメラは、撮影のためにオンにされる。
【００３１】
この実施形態において、制御モジュールは、ユーザがボタンを連続的に押下している期間がプリセット期間に達することを検出するとき、又は、ユーザがボタンを連続的に押下している回数がプリセット回数に達することを検出するとき、ユーザのボタンに対する押下操作が第１のプリセット条件を満たすことを決定するよう具体的に構成され得る。具体的には、例えば、ユーザがボタンを１．５秒間押下していることを検出するとき、又は、ユーザがボタンを連続的に２回押下し、かつ、毎回ボタンを１ 秒間又は１．５秒間押下していることを検出するとき、制御モジュールは、ユーザのボタンに対する押下操作が第１のプリセット条件を満たすことを決定する。もちろん、先述のボタンの押下時間及びボタンの連続押下回数は例示的なものにすぎず、何らか限定するものではない。
【００３２】
モバイル端末によっては、カメラをオンにするのに必要とされる時間が比較的に長い場合がある。迅速な取り込みを実現すべく、この実施形態におけるモバイル端末は、ユーザのボタンに対する押下操作が第１のプリセット条件を満たすことを検出するとき、制御モジュールは、撮影操作の準備をすべく、まずカメラをオンにするよう具体的に構成され、制御モジュールは、準備のためにカメラがオンにされた後、ユーザのボタンに対する押下操作が第２のプリセット条件を満たすことを検出するとき、撮影操作を実行するよう、カメラを制御し、又は、制御モジュールがユーザのボタンに対する押下操作が第２のプリセット条件を満たさないことを検出する場合、カメラをオフにするようさらに構成される、という方式にさらに設定され得る。
【００３３】
具体的には、例えば、ユーザがボタンを連続的に押下している期間が１秒に達することを検出するとき、制御モジュールは、撮影の準備をするよう、カメラをオンにし、カメラは、ユーザがボタンを連続的に押下している期間が１．５秒に達すること、又は、ボタンが１秒間押下された後ボタンが直ちに再び１秒間押下されることが検出されるまで、撮影操作を実行しない。カメラ１０１が準備するようオンにされた後、制御モジュールが、ユーザがボタンを連続的に押下している期間が１．５秒より短いこと、又は、ボタンが１秒間押下された後、ボタンが直ちに再び１秒間押下されていないことを検出する場合、カメラはオフにされる。もちろん、第１のプリセット条件及び第２のプリセット条件についての先述の説明は、例示的なものにすぎず、何らか限定するものではない。
【００３４】
モバイル端末によっては、カメラをオンにするのに必要とされる時間が比較的に短い場合がある。次に、モバイル端末は、ユーザのボタンに対する押下操作が第１のプリセット条件を満たすことを検出するとき、制御モジュールは、作動して撮影操作を実行するよう、カメラを制御するよう具体的に構成される、という方式に設定され得る。
【００３５】
この実施形態において、モバイル端末１００がロック解除された後、ユーザのボタンに対する押下操作が第３のプリセット条件を満たすとき、制御モジュールは、ボタンに対応するデフォルト機能を実行するよう、モバイル端末１００を制御するようさらに構成され得る。具体的には、例えば、当該ボタンは、モバイル端末のハウジング上に配置される、音量アップボタンである。モバイル端末１００がロック画面でスタンバイしている場合、音量アップボタンが連続的に押下されている期間が２秒に達するとき、カメラがオンにされてもよく、モバイル端末１００がロック解除された後、毎回音量アップボタンが押下されると、モバイル端末によって再生される音のプリセット音量値が増加されてもよい。このように、モバイル端末１００のハウジングの表面上に付加的なボタンを設ける必要がなく、モバイル端末のハウジングの表面上の既存ボタンが、カメラを迅速にオンにするのに利用され、付加的な物理的コストを必要としない。
【００３６】
好ましくは、この実施形態において説明されているボタンは、第１ボタン１０３ａ及び第２ボタン１０３ｂを含む。ユーザの第１ボタン１０３ａに対する押下操作が第１のプリセット条件を満たすことを検出するとき、制御モジュールは、動画撮影操作のためにカメラ１０１をオンにし、ユーザの第２ボタン１０３ｂに対する押下操作が第１のプリセット条件を満たすことを検出するとき、制御モジュールは、写真撮影操作のためにカメラ１０１をオンにする。具体的には、例えば、第１ボタン１０３ａは、音量アップボタンであり、第２ボタン１０３ｂは、音量ダウンボタンである。動画撮影操作が実行されるよう開始された後、制御モジュールは、第２ボタン１０３ｂがユーザによって再び押下されたことを検出するとき、カメラをオフにするようさらに構成され得る。
【００３７】
もちろん、実際の応用において、ボタンは１つのボタンのみを含んでもよい。相応して、制御モジュールが、ユーザのボタンに対する押下操作が第１のプリセット条件を満たすことを検出するとき、作動して写真撮影操作を実行するよう、カメラを制御し、ユーザのボタンに対する押下操作が第４のプリセット条件を満たすことを検出するとき、作動して動画撮影操作を実行するよう、カメラを制御する、という方式に、モバイル端末は設定され得る。代替的に、モバイル端末は、ユーザのボタンに対する押下操作が第１のプリセット条件を満たすことを検出するとき、制御モジュールが、写真撮影操作の準備のためにカメラをオンにし、第２のプリセット条件が満たされるとき、写真撮影操作を実行するよう、カメラを制御し、又は、第２のプリセット条件が満たされない場合、カメラをオフにし、ユーザのボタンに対する押下操作が第４のプリセット条件を満たすことを検出するとき、制御モジュールが、動画撮影操作のためにカメラをオンにし、かつ、第５のプリセット条件が満たされるとき、動画撮影操作を実行するよう、カメラを制御する、又は、第５のプリセット条件が満たされないとき、カメラをオフにする、という方式に、設定され得る。もちろん、先述の例における写真撮影操作及び動画撮影操作のシーケンスは可変的である。
【００３８】
具体的には、例えば、ユーザがボタンを連続的に押下している期間が１秒に達するが１．５秒より短いことを検出するとき、制御モジュールは、作動して写真撮影操作を実行するよう、カメラを制御し、ユーザがボタンを連続的に押下している期間が２秒に達することを検出するとき、制御モジュールは、作動して動画撮影操作を実行するよう、カメラを制御する。代替的に、制御モジュールは、ユーザがボタンを連続的に押下している期間が０．５秒に達することを検出するとき、カメラをオンにして写真撮影操作の準備をし、ユーザがボタンを連続的に押下している期間が１秒に達するが１．５秒より短いことを検出するとき、写真撮影操作を実行するよう、カメラを制御し、ユーザがボタンを連続的に押下している期間が０．５秒に達するが１秒に達しないことを検出する場合、カメラをオフにする。制御モジュールは、ユーザがボタンを連続的に押下している期間が２秒に達することを検出するとき、動画撮影操作の準備をするよう、カメラをオンにし、ユーザがボタンを連続的に押下している期間が２．５秒に達することを検出するとき、動画撮影操作を実行するよう、カメラを制御し、ユーザがボタンを連続的に押下している期間が２秒に達するが２．５秒に達しないことを検出する場合、カメラをオフにする。加えて、カメラが動画撮影操作を実行し開始した後、制御モジュールは、ボタンがユーザによって再び押下されることを検出するとき、カメラをオフにするようさらに構成され得る。もちろん、各プリセット条件についての先述の説明は、例示的なものにすぎず、何らか限定するものではない。
【００３９】
この実施形態において、モバイル端末は、設定オプションがさらに設けられてもよく、制御モジュールが写真撮影のためにカメラ１０１をオンにしたときに、１枚の写真を撮影するか又は写真のプリセット枚数を連続的に撮影するかをユーザが選択するために構成されてもよい。
【００４０】
この実施形態において、モバイル端末は、設定オプションがさらに設けられてもよく、カメラ１０１がオンにされてからプリセット期間において撮影を実行した後に自動的にオフにされるように、制御モジュールが動画撮影のためにカメラ１０１をオンにした後の自動動画撮影期間をユーザが設定するために構成されてもよい。
【００４１】
この実施形態において、モバイル端末は、設定オプションがさらに設けられてもよく、モバイル端末がロック画面でスタンバイしているとき、ボタンを押下すると、カメラを迅速にオンにするという機能を可能にするかをユーザが設定するために構成されてもよい。
【００４２】
この実施形態において、モバイル端末１００は、ロック画面でスタンバイしているとき、制御モジュールは、カメラ１０１をオンにしながらモバイル端末１００の表示画面１０７をオンにするよう構成され、当該表示画面は、カメラ１０１によって取り込まれるビューを表示するよう構成され、ユーザが撮影されるビューを制御することを可能にする。
【００４３】
代替的に、制御モジュールは、モバイル端末１００の表示画面をオンにすることをスキップしてもよく、代わりに、モバイル端末１００は、ビューファインダ１０５が設けられ、ユーザがビューファインダ１０５を用いて撮影されるビューを取り込むようにする。このように、モバイル端末がロック画面でスタンバイしているとき、カメラがオンにされて撮影操作を実行した後、モバイル端末の電源ボタンを押下することによって画面が点灯され、ユーザが手動で撮影を制御することができるように、表示画面を用いることによって通常撮影モードに入る、という方式に、モバイル端末は、さらに設定され得る。
【００４４】
この実施形態において、写真撮影操作のために、又は動画撮影操作を実行し開始するよう、カメラをオンにするとき、制御モジュールは、ユーザにアラートすべく、音を鳴らすか又は振動するよう、モバイル端末を制御するようさらに構成され得る。
【００４５】
先述は、本発明の複数の実施形態におけるモバイル端末を説明しており、以下は、本発明の複数の実施形態におけるモバイル端末上で撮影を開始するための方法を説明する。図３を参照すると、本発明の複数の実施形態におけるモバイル端末上で撮影を開始するための方法の実施形態は以下を含む。
【００４６】
３０１は、モバイル端末がロック画面でスタンバイしているとき、モバイル端末のハウジング上のボタンに関する検出を実行する段階である。
【００４７】
モバイル端末は、携帯電話、タブレットコンピュータ、又はカメラが設けられている別のモバイル端末であり得る。
【００４８】
３０２は、ユーザのボタンに対する押下操作が第１のプリセット条件を満たすことが検出されるとき、撮影のためにカメラをオンにする段階である。
【００４９】
当該ボタンは、モバイル端末のハウジング上の物理ボタン、又は仮想ボタンであり得る。ボタンに対する押下操作が第１のプリセット条件を満たすとき、カメラは写真撮影操作又は動画撮影操作のためにオンにされる。
【００５０】
本発明の実施形態において、モバイル端末は、ロック画面でスタンバイしている場合、モバイル端末のユーザがすばらしいビューを迅速に取り込むことができ、従って、ユーザの写真撮影エクスペリエンスが向上されるように、ユーザのボタンに対する押下操作が第１のプリセット条件を満たすことを検出されるとき、カメラは、撮影のためにオンにされる。
【００５１】
この実施形態において、モバイル端末は、設定オプションがさらに設けられてもよく、制御モジュールが写真撮影のためにカメラをオンにしたときに、１枚の写真を撮影するか又は写真のプリセット枚数を連続的に撮影するかをユーザが選択するために構成されてもよい。
【００５２】
この実施形態において、モバイル端末は、設定オプションがさらに設けられてもよく、カメラがオンにされてからプリセット期間において撮影を実行した後に自動的にオフにされるように、カメラが動画撮影のためにオンにされた後の自動動画撮影期間をユーザが設定するために構成されてもよい。
【００５３】
この実施形態において、モバイル端末は、設定オプションがさらに設けられてもよく、モバイル端末がロック画面でスタンバイしているとき、ボタンを押下するとカメラを迅速にオンにする機能を可能にするかをユーザが設定するために構成されてもよい。
【００５４】
この実施形態において、モバイル端末がロック画面でスタンバイしているとき、表示画面が、カメラによって取り込まれるビューを表示し、ユーザが撮影されるビューを制御することを可能にするよう構成されるように、モバイル端末の表示画面は、カメラがオンにされながら、オンにされ得る。
【００５５】
代替的に、カメラがオンにされながら、モバイル端末の表示画面をオンにする段階はスキップされてもよく、代わりに、モバイル端末は、ビューファインダが設けられ、ユーザが当該ビューファインダを用いて撮影されるビューを取り込むようにする。このように、モバイル端末がロック画面でスタンバイしているとき、カメラがオンにされ撮影操作を実行した後、ユーザが手動で撮影を制御することができるように、モバイル端末の電源ボタンを押下することによって、画面が点灯し、表示画面を用いることによって通常撮影モードに入る、という方式に、モバイル端末は、さらに設定され得る。
【００５６】
この実施形態において、写真撮影操作のために、又は、動画撮影操作を実行し開始するよう、カメラがオンにされたとき、モバイル端末は、ユーザにアラートすべく、音を鳴らすか又は振動するようさらに制御され得る。
【００５７】
図４を参照すると、本発明の複数の実施形態におけるモバイル端末上で撮影を開始するための方法の別の実施形態は以下を含む。
【００５８】
４０１は、モバイル端末がロック画面でスタンバイしているとき、モバイル端末のハウジング上のボタンに関する検出を実行する段階である。
【００５９】
４０２は、ユーザがボタンを連続的に押下している期間がプリセット期間に達することが検出されるとき、又は、ユーザがボタンを連続的に押下している回数がプリセット回数に達することが検出されるとき、撮影のためにカメラをオンにする段階である。
【００６０】
具体的には、例えば、ユーザがボタンを１．５秒間押下していることが検出されるとき、又は、ユーザがボタンを連続的に２回押し、かつ、毎回ボタンを１秒間又は１．５秒間押下していることが検出されるとき、カメラは、撮影のためにオンにされる。もちろん、先述のボタンの押下時間及びボタンの連続押下回数は例示的なものにすぎず、何らか限定するものではない。
【００６１】
図５を参照すると、本発明の複数の実施形態におけるモバイル端末上で撮影を開始するための方法の別の実施形態は以下を含む。
【００６２】
５０１は、モバイル端末がロック画面でスタンバイしているとき、モバイル端末のハウジング上のボタンに関する検出を実行する段階である。
【００６３】
５０２は、ユーザのボタンに対する押下操作が第１のプリセット条件を満たすことが検出されるとき、撮影の準備をするよう、カメラをオンにする段階である。
【００６４】
５０３は、カメラが準備するようオンにされた後、ユーザのボタンに対する押下操作が第２のプリセット条件を満たすことが検出されるとき、撮影操作を実行するよう、カメラを制御し、又は、ユーザのボタンに対する押下操作が第２のプリセット条件を満たさないことが検出されるとき、カメラをオフにする段階である。
【００６５】
具体的には、例えば、ユーザのボタンを連続的に押下している期間が１秒に達することが検出されるとき、カメラは、撮影の準備をするよう、オンにされ、ユーザがボタンを連続的に押下している期間が１．５秒に達し、又はボタンが１秒間押下されていた後にボタンが直ちに再び１秒間押下されていることが検出されるとき、カメラは撮影操作を実行するよう制御される。カメラが準備をすべくオンにされた後、ユーザがボタンを連続的に押下している期間が１．５秒より短いこと、又は、ボタンが１秒間押下されていた後にボタンが直ちに再び１秒間押下されていないことが検出される場合、カメラはオフにされる。もちろん、第１のプリセット条件及び第２のプリセット条件についての先述の説明は、例示的なものにすぎず、何らか限定するものではない。
【００６６】
この実施形態において、複数の段階的操作を通じて、比較的に遅く開始されるカメラは、より早くオンにされることができ、迅速な取り込みを実行する。
【００６７】
もちろん、モバイル端末によっては、カメラをオンにするのに必要とされる時間が比較的に短い場合がある。次に、モバイル端末は、ユーザのボタンに対する押下操作が第１のプリセット条件を満たすことが検出されるとき、カメラが撮影操作を実行するようオンにされる、という方式に、設定され得る。
【００６８】
図６を参照すると、本発明の複数の実施形態におけるモバイル端末上で撮影を開始するための方法の別の実施形態は以下を含む。
【００６９】
６０１は、モバイル端末がロック画面でスタンバイしているとき、モバイル端末のハウジング上のボタンに関する検出を実行する段階である。
【００７０】
６０２は、ユーザのボタンに対する押下操作が第１のプリセット条件を満たすことが検出されるとき、撮影のためにカメラをオンにする段階である。
【００７１】
６０３は、モバイル端末がロック解除される場合、ユーザのボタンに対する押下操作が第３のプリセット条件を満たすとき、当該ボタンに対応するデフォルト機能を実行するよう、モバイル端末を制御する段階である。
【００７２】
具体的には、例えば、当該ボタンは電源ボタンである。モバイル端末がロック画面でスタンバイしている場合、ユーザが電源ボタンを連続的に押下している期間が１秒に達することが検出されるとき、カメラは撮影のためにオンにされ、モバイル端末がロック解除される場合、電源ボタンがユーザによって連続的に押下されている期間が２秒に達するとき、モバイル端末は、電源オフになるよう制御される。もちろん、先述のボタン選択及び第１、第３のプリセット条件は、例示的なものにすぎず、何らか限定するものではない。第１のプリセット条件及び第３のプリセット条件が同じであってもよく、又は異なってよいことは注目に値する。
【００７３】
この実施形態において、モバイル端末のハウジングの表面上に付加的なボタンを設ける必要がなく、モバイル端末のハウジングの表面上の既存ボタンがカメラを迅速にオンにするのに利用され、付加的な物理的コストを必要としない。
【００７４】
図７を参照すると、本発明の複数の実施形態におけるモバイル端末上で撮影を開始するための方法の別の実施形態は以下を含む。
【００７５】
７０１は、モバイル端末がロック画面でスタンバイしているとき、モバイル端末のハウジング上の第１ボタン及び第２ボタンに関する検出を個別に実行する段階である。
【００７６】
７０２は、ユーザの第１ボタンに対する押下操作が第１のプリセット条件を満たすことが検出されるとき、動画撮影のためにカメラをオンにし、ユーザの第２ボタンに対する押下操作が第１のプリセット条件を満たすことが検出されるとき、写真撮影のためにカメラをオンにする段階である。
【００７７】
具体的には、例えば、第１ボタンは音量アップボタンであり、第２ボタンは、音量ダウンボタンである。動画撮影操作が実行されるよう開始された後、第２ボタンがユーザによって再び押下されることが検出されるとき、カメラは、さらにオフにされ得る。
【００７８】
この実施形態において、当該２つのボタンは、迅速な取り込みのためにユーザがより便利にカメラ操作を選択することができるように、カメラの写真撮影操作及び動画撮影操作にそれぞれ対応するよう、設定される。
【００７９】
もちろん、実際の応用において、ボタンはまた、１つのボタンのみを含み得る。相応して、ユーザのボタンに対する押下操作が第１のプリセット条件を満たすことが検出されるとき、カメラは、オンにされて写真撮影操作を実行し、ユーザのボタンに対する押下操作が第４のプリセット条件を満たすことが検出されるとき、カメラは、オンにされて動画撮影操作を実行する、という方式に、モバイル端末は設定され得る。代替的に、モバイル端末は、ユーザのボタンに対する押下操作が第１のプリセット条件を満たすことが検出されるとき、カメラが写真撮影操作の準備をするようオンにされ、第２のプリセット条件が満たされるとき、カメラが写真撮影操作を実行するよう制御され、又は、第２のプリセット条件が満たされない場合、カメラがオフにされ、ユーザのボタンに対する押下操作が第４のプリセット条件を満たすことが検出されるとき、カメラが動画撮影操作の準備をするようオンにされ、第５のプリセット条件が満たされるとき、カメラが動画撮影操作を実行するよう制御され、又は、第５のプリセット条件が満たされない場合、カメラがオフにされる、という方式に、設定され得る。もちろん、先述の例において説明されている写真撮影操作及び動画撮影操作のシーケンスは、可変的である。
【００８０】
具体的には、例えば、ユーザがボタンを連続的に押下している期間が１秒に達するが１．５秒より短いことが検出されるとき、カメラは、オンにされて写真撮影操作を実行し、ユーザがボタンを連続的に押下している期間が２秒に達することが検出されるとき、カメラは、オンにされて動画撮影操作を実行する。代替的に、ユーザがボタンを連続的に押下している期間が０．５秒に達することが検出されるとき、カメラは、写真撮影操作の準備をするようオンにされ、ユーザがボタンを連続的に押下している期間が１秒に達するが１．５秒より短いことが検出されるとき、カメラは、写真撮影操作を実行するよう制御され、ユーザがボタンを連続的に押下している期間が０．５秒に達するが１秒に達しないことが検出される場合、カメラは、オフにされる。ユーザがボタンを連続的に押下している期間が２秒に達することが検出されるとき、カメラは、動画撮影操作の準備をするようオンにされ、ユーザがボタンを連続的に押下している期間が２．５秒に達することが検出されるとき、カメラは、動画撮影操作を実行するよう制御され、ユーザがボタンを連続的に押下している期間が２秒に達するが２．５秒に達しないことが検出される場合、カメラは、オフにされる。加えて、カメラが動画撮影操作を実行し開始した後、ボタンがユーザによって再び押下されることが検出されるとき、カメラは、さらにオフにされ得る。もちろん、各プリセット条件についての先述の説明は、例示的なものにすぎず、何らか限定するものではない。
【００８１】
理解しやすくするために、以下は、実際の応用シナリオを用いて、この実施形態におけるモバイル端末上で撮影を開始するための方法を説明する。
【００８２】
ハウジングにおいて、携帯電話は、音量アップボタン及び音量ダウンボタンを含む２つの物理ボタンと、カメラと、ビューファインダとが設けられる。ユーザは、事前に、携帯電話における複数の設定オプションを用いることによって、モバイル端末がロック画面でスタンバイしているとき、ボタンを押下すると、カメラを迅速にオンにする機能がイネーブルになるように設定してもよく、カメラが写真撮影のためにオンにされたときに、３枚の写真が連続的に撮影されるように設定してもよく、カメラが動画撮影のためにオンにされた後の自動動画撮影期間を２０分に設定してもよい。
【００８３】
携帯電話がロック画面でスタンバイしている場合、音量アップボタンがユーザによって連続的に押下されている期間が１秒に達することが検出されるとき、カメラはオンにされ、音量アップボタンがユーザによって連続的に押下されている全期間が１．５秒に達することが検出されるとき、カメラは、３枚の写真を連続的に撮影するよう制御され、携帯電話は、ユーザにアラートすべく、音を鳴らすか又は振動するよう制御される。
【００８４】
音量ダウンボタンがユーザによって連続的に押下されている期間が１秒に達することが検出されるとき、カメラは、オンにされ、音量ダウンボタンがユーザによって連続的に押下されている全期間が１．５秒に達することが検出されるとき、カメラは、動画撮影操作を実行し開始するよう制御され、携帯電話は、ユーザにアラートすべく、音を鳴らすか又は振動するよう制御され、カメラは、動画撮影の２０分後自動的にオフにされる。カメラが動画撮影操作を実行し開始した後の２０分以内に、ユーザが音量ダウンボタンを再び押下することが検出されるとき、カメラはオフにされ、動画撮影操作は終了される。
【００８５】
先述のカメラ撮影プロセスにおいて、カメラによって取り込まれるビューは、携帯電話のビューファインダを用いることによってユーザにより見られるビューである。
【００８６】
携帯電話がロック解除された後、毎回音量アップボタンがユーザによって押下されることが検出されるとき、携帯電話によって鳴らされる音のプリセット音量値が増加され、毎回音量ダウンボタンがユーザによって押下されることが検出されるとき、携帯電話によって鳴らされる音のプリセット音量値が低減される。
【００８７】
先述の複数の実施形態は、本発明の複数の技術的解決法を説明することを意図されるものに過ぎず、本発明を制限するものではない。本発明は先述の複数の実施形態を参照して詳細に説明されているが、当業者は、彼らが本発明の複数の実施形態の複数の技術的解決法の趣旨及び範囲から逸脱することなく、先述の複数の実施形態において説明されている複数の技術的解決法をさらに変更してもよく、又は、これらのいくつかの技術的特徴に対して同等な置換をしてもよいことを理解すべきである。
【図１】
2018157567.tif 000003
【図２】
2018157567.tif 000004
【図３】
2018157567.tif 000005
【図４】
2018157567.tif 000006
【図５】
2018157567.tif 000007
【図６】
2018157567.tif 000008
【図７】
2018157567.tif 000009
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
モバイル端末であって、
カメラと、
表示画面と、
前記カメラおよび前記表示画面に連結されたプロセッサと、
前記カメラおよび前記表示画面に連結され、前記プロセッサに連結されたボタンを有するハウジングと、
を備え、
前記プロセッサは、
前記モバイル端末がロック画面でスタンバイモードにあるときに、前記ボタンに関する検出を実行し、
ユーザの前記ボタンに対する押下操作が第１のプリセット条件を満たすことを検出するときに、前記カメラをオンし、撮影を実行し、
前記モバイル端末がロック解除された後であって前記ユーザの前記ボタンに対する前記押下操作が第３のプリセット条件を満たすときに、前記ボタンに対応するデフォルト機能を実行するように構成される、モバイル端末。
【請求項２】
前記プロセッサは、
前記ユーザが前記ボタンを連続的に押下する期間がプリセット期間に達することを検出するときに、前記ユーザの前記ボタンに対する前記押下操作が前記第１のプリセット条件を満たすことを決定するようにさらに構成される、請求項１に記載のモバイル端末。
【請求項３】
前記プロセッサは、
前記ユーザが前記ボタンを連続的に押下する回数がプリセット回数に達することを検出するときに、前記ユーザの前記ボタンに対する前記押下操作が前記第１のプリセット条件を満たすことを決定するようにさらに構成される、請求項１または２に記載のモバイル端末。
【請求項４】
前記ボタンに対応する前記デフォルト機能が、前記モバイル端末によって鳴らされる音量値を調整することを備える、請求項１から３のいずれか１項に記載のモバイル端末。
【請求項５】
前記音量値を調整することは、前記モバイル端末によって鳴らされる前記音量値を増加することを備える、請求項４に記載のモバイル端末。
【請求項６】
前記ハウジングが、第２ボタンをさらに備え、
前記プロセッサは
前記ユーザの前記ボタンに対する前記押下操作が前記第１のプリセット条件を満たすことを決定するときに、動画撮影のために前記カメラをオンし、
前記ユーザの前記第２ボタンに対する前記押下操作が前記第１のプリセット条件を満たすことを検出するときに、写真撮影のために前記カメラをオンするようにさらに構成される、請求項１から５のいずれか１項に記載のモバイル端末。
【請求項７】
前記モバイル端末には、前記プロセッサが写真撮影のために前記カメラをオンするときに、１枚の写真を撮影するか写真のプリセット枚数を連続的に撮影するかの少なくともいずれか１つに関する選択指示を受け取るように構成される設定オプションが設けられる、請求項１から６のいずれか１項に記載のモバイル端末。
【請求項８】
前記モバイル端末には、前記プロセッサが動画撮影のために前記カメラをオンしたときに、自動動画撮影期間を受け取るように構成される設定オプションが設けられる、請求項１から７のいずれか１項に記載のモバイル端末。
【請求項９】
前記モバイル端末には、ビューファインダがさらに設けられる、請求項１から８のいずれか１項に記載のモバイル端末。
【請求項１０】
カメラと、表示画面と、前記カメラおよび前記表示画面に連結されたプロセッサと、前記カメラおよび前記表示画面に連結されかつ前記プロセッサに連結されたボタンを有するハウジングとを備えるモバイル端末上で撮影を開始する方法であって、
前記モバイル端末がロック画面でスタンバイモードにあるときに、前記ボタンに関する検出を実行する段階と、
前記ボタンに対する押下操作が第１のプリセット条件を満たすときに、前記カメラをオンし、撮影を実行する段階と、
前記モバイル端末がロック解除された後であってユーザの前記ボタンに対する前記押下操作が第３のプリセット条件を満たすときに、前記ボタンに対応するデフォルト機能を実行する段階と、
を備える、モバイル端末上で撮影を開始する方法。
【請求項１１】
前記ユーザが前記ボタンを連続的に押下する期間がプリセット期間に達するときに、前記ユーザの前記ボタンに対する前記押下操作が前記第１のプリセット条件を満たすことを決定する段階をさらに備える、請求項１０に記載のモバイル端末上で撮影を開始する方法。
【請求項１２】
前記ユーザが前記ボタンを連続的に押下する回数がプリセット回数に達するときに、前記ユーザの前記ボタンに対する前記押下操作が前記第１のプリセット条件を満たすことを決定する段階をさらに備える、請求項１０または１１に記載のモバイル端末上で撮影を開始する方法。
【請求項１３】
前記ハウジングが、第２ボタンをさらに備え、
前記方法が、
前記ユーザの前記ボタンに対する前記押下操作が前記第１のプリセット条件を満たすことを検出するときに、動画撮影のために前記カメラをオンする段階と、
前記ユーザの前記第２ボタンに対する前記押下操作が前記第１のプリセット条件を満たすときに、写真撮影のために前記カメラをオンする段階と、
をさらに備える、請求項１０から１２のいずれか１項に記載のモバイル端末上で撮影を開始する方法。
【請求項１４】
前記ボタンに対応する前記デフォルト機能が、前記モバイル端末によって鳴らされる音量値を調整する段階を備える、請求項１０から１３のいずれか１項に記載のモバイル端末上で撮影を開始する方法。
【請求項１５】
前記音量値を調整する段階が、前記モバイル端末によって鳴らされる前記音量値を増加する段階を備える、請求項１４に記載のモバイル端末上で撮影を開始する方法。
【請求項１６】
実行されると、１または複数のプロセッサに、請求項１０から１５のいずれか１項に記載の方法を実行させる、コンピュータプログラム。